(57)【要約】【課題】使用者が頭部に装着したとき、頭部に対して装着状態のズレが生じない電子機器を提供すること。【解決手段】第１の湾曲部と、第２の湾曲部と、第１の湾曲部と第２の湾曲部の間に設けられた中間部と、を有する第１の保持部と、第１の湾曲部に設けられた第１の接続部と、第２の湾曲部に設けられた第２の接続部と、第１の接続部に接続された第１の当接部と、第２の接続部に接続された第２の当接部と、第１の当接部と、第２の当接部と、第１の保持部との少なくともいずれか一つの部材を介して設けられている電子デバイスと、を有し、第１の接続部は、第１の当接部の長手方向全長の中央位置よりも中間部側に位置し、第２の接続部は、第２の当接部の長手方向全長の中央位置よりも中間部側に位置する。【選択図】図１
2014007513.tif 000002
【特許請求の範囲】
【請求項１】
第１の湾曲部と、第２の湾曲部と、前記第１の湾曲部と前記第２の湾曲部の間に設けられた中間部と、を有する第１の保持部と、
前記第１の湾曲部に設けられた第１の接続部と、
前記第２の湾曲部に設けられた第２の接続部と、
前記第１の接続部に接続された第１の当接部と、
前記第２の接続部に接続された第２の当接部と、
前記第１の当接部と、前記第２の当接部と、前記第１の保持部との少なくともいずれか一つの部材を介して設けられている電子デバイスと、を有し、
前記第１の湾曲部の凹部と、前記第２の湾曲部の凹部とは、対向するように設けられ、
前記第１の当接部と前記第２の当接部は、各々、湾曲部を有し、前記湾曲部は対向するように配置され、
前記第１の接続部は、前記第１の当接部の長手方向全長の中央位置よりも前記中間部側に位置し、
前記第２の接続部は、前記第２の当接部の長手方向全長の中央位置よりも前記中間部側に位置することを特徴とする電子機器。
【請求項２】
前記第１の湾曲部と前記第２の湾曲部とのいずれか一方に設けられた機器接続部と、
前記機器接続部に設けられ、前記機器接続部から前記中間部に向けて延伸する第２の保持部と、
前記第２の保持部の端部に設けられた表示装置と、を有することを特徴とする請求項１に記載の電子機器。
【請求項３】
前記第１の当接部と前記第２の当接部とは弾性部材で形成され、
前記第１の当接部の前記湾曲部の長手方向の曲率半径と、前記第２の当接部の前記湾曲部の長手方向の曲率半径とは、それぞれ、前記電子機器が使用者の頭部に装着される前の状態における曲率半径に比較して、前記電子機器が前記使用者の前記頭部に装着されている状態における曲率半径のほうが大きいことを特徴とする請求項１または２に記載の電子機器。
【請求項４】
前記第１の当接部の前記湾曲部と、前記第２の当接部の前記湾曲部とは、それぞれ、前記電子機器を前記使用者の前記頭部に装着しているとき、装着前の曲率半径に比較して拡がっている状態であることを特徴とする請求項３に記載の電子機器。
【請求項５】
前記電子機器を前記使用者の前記頭部に装着した状態において、
前記第１の当接部の前記湾曲部の長手方向の曲率半径に関して、前記第１の接続部から前記中間部側の端部までの曲率半径よりも、前記第１の接続部から前記端部とは反対側の他の端部までの曲率半径のほうが小さく、
前記第２の当接部の前記湾曲部の長手方向の曲率半径に関して、前記第２の接続部から前記中間部側の端部までの曲率半径よりも、前記第２の接続部から前記端部とは反対側の他の端部までの曲率半径のほうが小さいことを特徴とする請求項１〜４のいずれか一項に記載の電子機器。
【請求項６】
前記第１の当接部及び前記第２の当接部は、厚さが５ｍｍ以下の材料で構成されていることを特徴とする請求項１〜５のいずれか一項に記載の電子機器。
【請求項７】
前記第１の接続部から前記中間部側の端部と前記端部とは反対側の他の端部との間には伸縮素材が接続されており、
前記第２の接続部から前記中間部側の端部と前記端部とは反対側の他の端部との間には伸縮素材が接続されていることを特徴とする請求項１〜６のいずれか一項に記載の電子機器。
【請求項８】
前記第１の当接部と前記第２の当接部は、それぞれ長手方向の中央部分の幅が、少なくとも一方の端部の幅よりも小さいことを特徴とする請求項１〜７のいずれか一項に記載の電子機器。
【請求項９】
前記第１の当接部と前記第２の当接部は、それぞれ第１の接続部と第２の接続部とを支点としたときに、前記端部とは反対側の他の端部のほうが重くなるように構成されていることを特徴とする請求項１〜８のいずれか一項に記載の電子機器。
【請求項１０】
前記端部とは反対側の他の端部のほうが重くなるウエイト部を有することを特徴とする請求項９に記載の電子機器。
【請求項１１】
前記第１の保持部は、前記第１の当接部と前記第２の当接部とが前記使用者の前記頭部への締め付け加減を調整可能な締付調整部を有することを特徴とする請求項１〜１０のいずれか一項に記載の電子機器。
【請求項１２】
前記第２の保持部は、端部に接眼光学部を有し、
前記使用者は、機器接続部を介して固定されている虚像表示装置からの虚像画像を、前記接眼光学部により観察可能であり、
前記機器接続部は、前記第１の当接部と前記第２の当接部とにおいて、前記中間部側の前記端部よりも後方の位置に設けられていることを特徴とする請求項１〜１１のいずれか一項に記載の電子機器。
【請求項１３】
前記第１の保持部は、前記使用者の顔と前記接眼光学部との間に配置される透過性のバイザー部を着脱可能とするバイザー着脱部を有することを特徴とする請求項１〜１２のいずれか一項に記載の電子機器。
【請求項１４】
前記バイザー部は、前記第１の保持部に対して上下逆向きに取り付け可能であり、
さらに、前記バイザー部は、前記第１の保持部、前記第１の当接部及び前記第２の当接部を、前記使用者の前記頭部に対して左右入れ替えて装着できることを特徴とする請求項１〜１３のいずれか一項に記載の電子機器。
【請求項１５】
前記第１の当接部及び前記第２の当接部のみが前記使用者の前記頭部に当接し、
前記第１の保持部および前記バイザー部は、前記使用者に非接触な状態で保持可能であることを特徴とする請求項１〜１４のいずれか一項に記載の電子機器。
【請求項１６】
前記電子デバイスは液晶シャッタ部であり、
前記第１の保持部には、前記使用者の眼前に配置される前記液晶シャッタ部と、
前記液晶シャッタ部を駆動するための駆動部と、を有することを特徴とする請求項１〜１５のいずれか一項に記載の電子機器。
【請求項１７】
前記第１の当接部と、前記第２の当接部とに設けられている前記電子デバイスは骨伝導スピーカ部であることを特徴とする請求項１〜１５のいずれか一項に記載の電子機器。
【請求項１８】
前記第１の当接部及び前記第２の当接部は、板ばね部材で形成され、前記使用者の前記頭部に付勢されることを特徴とする請求項１〜１７のいずれか一項に記載の電子機器。
【発明の詳細な説明】
【技術分野】
【０００１】
本発明は、電子機器、特に頭部装着型の電子機器に関する。
【背景技術】
【０００２】
近年、頭部に装着して映像や情報を表示可能なヘッドマウントディスプレイや、立体映像を鑑賞するための液晶シャッタ眼鏡など、頭部に装着して使用する電子機器が増えている。
特に、液晶シャッタ眼鏡は、映画館で観客に貸し出して使用することが行われている。また、小型のヘッドマウントディスプレイも、映画や劇場での字幕表示などに利用することが行われている。
このような状況の下で、これらの機器を使用する誰もが安定して装着でき、使用時に不快感の少ない電子機器、特に頭部装着型の電子機器が求められている。
【０００３】
頭部装着型の電子機器としては、特許文献１のようにヘッドフォンのような形状で、頭頂部を経由するバンドで頭部に保持する装置がある。
【先行技術文献】
【特許文献】
【０００４】
【特許文献１】特開平８−１３０６９４号公報
【発明の概要】
【発明が解決しようとする課題】
【０００５】
特許文献１に提案されているヘッドフォンのような形状の装置は、使用者の頭部に対して装着状態のズレが発生すること、頭部のサイズに応じた調整が困難であることなどの問題を生ずる。
【０００６】
本発明は、上記に鑑みてなされたものであって、使用者が頭部に装着したとき、頭部に対してズレが生じない電子機器を提供することを目的とする。
【課題を解決するための手段】
【０００７】
上述した課題を解決し、目的を達成するために、本発明の電子機器は、第１の湾曲部と、第２の湾曲部と、第１の湾曲部と第２の湾曲部の間に設けられた中間部と、を有する第１の保持部と、
第１の湾曲部に設けられた第１の接続部と、
第２の湾曲部に設けられた第２の接続部と、
第１の接続部に接続された第１の当接部と、
第２の接続部に接続された第２の当接部と、
第１の当接部と、第２の当接部と、第１の保持部との少なくともいずれか一つの部材を介して設けられている電子デバイスと、を有し、
第１の湾曲部の凹部と、第２の湾曲部の凹部とは、対向するように設けられ、
第１の当接部と第２の当接部は、各々、湾曲部を有し、湾曲部は対向するように配置され、
第１の接続部は、第１の当接部の長手方向全長の中央位置よりも中間部側に位置し、
第２の接続部は、第２の当接部の長手方向全長の中央位置よりも中間部側に位置することを特徴とする。
【発明の効果】
【０００８】
本発明によれば、頭部当接部において、頭部当接部とバンド部との接続部は頭部当接部の中央よりも前側に配置されている。これにより、装着状態がズレにくい安定した装着性を得ることができ、電子機器の装着時の不快感を軽減できる電子機器を提供できる。
【図面の簡単な説明】
【０００９】
【図１】第１実施形態の電子機器を使用者が装着した状態を示す上面図である。
【図２】（ａ）第１実施形態の電子機器を使用者が装着する前の状態を示す図である。（ｂ）は、第１実施形態の電子機器を使用者が装着した後の状態を示す図である。
【図３】頭部当接部の詳細構成を示す図である。
【図４】（ａ）第１実施形態の変形例の電子機器を使用者が装着する前の状態を示す図である。（ｂ）は、第１実施形態の変形例の電子機器を使用者が装着した後の状態を示す図である。
【図５】第２実施形態の電子機器を使用者が装着した状態を示す側面図である。
【図６】第３実施形態の電子機器を使用者が装着した状態を示す側面図である。
【図７】（ａ）、（ｂ）は、締付調整部の構成を示す図である。
【図８】第４実施形態の電子機器を使用者が装着した状態を示す側面図である。
【図９】（ａ）は、第５実施形態の電子機器を使用者が装着している状態を示す上面図である。（ｂ）は、第５実施形態の電子機器を使用者が装着している状態を示す側面図である。
【図１０】（ａ）、（ｂ）は、頭部当接部の変形例の構成を示す図である。
【発明を実施するための形態】
【００１０】
本実施形態の電子機器の構成による作用効果を説明する。なお、この実施形態によって本発明は限定されるものではない。すなわち、実施形態の説明に当たって、例示のために特定の詳細な内容が多く含まれるが、これらの詳細な内容に色々なバリエーションや変更を加えても、本発明の範囲を超えない。従って、以下で説明する本発明の例示的な実施形態は、権利請求された発明に対して、一般性を失わせることなく、また、何ら限定をすることもなく、述べられたものである。
【００１１】
（第１実施形態）
図１は、第１実施形態の電子機器１００を使用者Ｕが装着した状態を示す上面図である。
使用者Ｕの頭部Ｈの両側面に第１、第２の頭部当接部（第１、第２の当接部）１０３Ｒ、１０３Ｌが配置されている。そして、第１、第２の頭部当接部１０３Ｒ、１０３Ｌに接続されたバンド部１１０で付勢する。これにより、電子機器１００を、頭部Ｈに保持する。
【００１２】
第１実施形態の電子機器１００は、大きくわけて、バンド部１１０（第１の保持部）と、第１、第２の頭部当接部１０３Ｒ、１０３Ｌと、第１、第２の接続部１０２Ｒ、１０２Ｌと、電子デバイス１０６、１０７（表示装置）とを有している。
第１、第２の接続部１０２Ｒ、１０２Ｌは、図内矢印Ａ、Ｂ方向に回動可能である。
【００１３】
さらに、詳細な構成を説明する。
バンド部１１０は、第１の湾曲部１０１Ｒと、第２の湾曲部１０１Ｌと、第１の湾曲部１０１Ｒと第２の湾曲部１０１Ｌの間に設けられた中間部１０１Ｍと、を有する。
第１の接続部１０２Ｒは、第１の湾曲部１０１Ｒに設けられている。
第２の接続部１０２Ｌは、第２の湾曲部１０１Ｌに設けられている。
そして、第１の頭部当接部１０３Ｒは、第１の接続部１０２Ｒに接続されている。
第２の頭部当接部１０３Ｌは、第２の接続部１０２Ｌに接続されている。
電子デバイス（表示装置１０６、１０７、液晶シャッタ２０３、骨伝導スピーカ３０１Ｒ、３０１Ｌ）は、第１の頭部当接部１０３Ｒと、第２の頭部当接部１０３Ｌと、バンド部１１０（第１の保持部）の少なくともいずれか一つの部材を介して設けられている。本実施形態は、電子デバイスとして、虚像表示装置１０６、接眼光学部１０７を有する構成例である。
ここで、第１の湾曲部１０１Ｒの凹部１０１Ｒａと、第２の湾曲部１０１Ｌの凹部１０１Ｌａとは、対向するように設けられている。
さらに、第１の頭部当接部１０３Ｒと第２の頭部当接部１０３Ｌは、各々、湾曲部１０３Ｒａ、１０３Ｌａを有し、かつ湾曲部１０３Ｒａ、１０３Ｌａは対向するように配置されている。
第１の接続部１０２Ｒは、第１の頭部当接部１０３Ｒの長手方向全長の中央位置ＣＲよりも中間部１０１Ｍ側に位置している。
第２の接続部１０２Ｌは、第２の頭部当接部１０３Ｌの長手方向全長の中央位置ＣＬよりも中間部１０１Ｍ側に位置している。
【００１４】
また、第１の湾曲部１０１Ｒには、機器接続部１０４が設けられている。なお、機器接続部１０４は、第２の湾曲部１０１Ｌに設けられていても良い。
第２の保持部１０５は、機器接続部１０４に設けられ、機器接続部１０４から中間部１０１Ｍに向けて延伸する形状を有する。
第２の保持部１０５の端部には、表示装置に対応する虚像表示装置１０６と、接眼光学部１０７とが設けられている。
【００１５】
接眼光学部１０７の情報表示領域の大きさは、使用者Ｕの瞳の大きさよりも小さい。これにより、使用者Ｕは、視界を遮られることなく、虚像表示装置１０６からの情報を認識できる。
【００１６】
第１、第２の頭部当接部１０３Ｒ、１０３Ｌは、バンド部１１０に対してバンド部１１０の長手方向に回動可能となっている。これにより、使用者Ｕの頭部Ｈの様々な曲面に合わせて回動する。
【００１７】
さらに、第１、第２の頭部当接部１０３Ｒ、１０３Ｌは、バンド部１１０に対してスライド可能となっている。これにより、使用者Ｕの様々な頭部Ｈのサイズに対応することができる。
また、バンド部１１０の前方にはバイザー着脱部１０９が設けられている。これにより、バイザー部１０８を装着することで、使用者Ｕの眼前に接眼光学部１０７を配置する際の保護として利用できる。バイザー着脱部１０９に関しては、さらに後述する。
【００１８】
図１では虚像表示装置１０６をバンド部１１０に取り付けた状態を示している。バンド部１１０と第２の保持部１０５との接続部である機器接続部１０４を、第１の頭部当接部１０３Ｒの前方、すなわち前頭部ＦＨ側の端部Ｔａよりも、後方の位置、すなわち後頭部ＲＨ側の位置に配置している。これにより、バンド部１１０の前側（前頭部ＦＨ側）にかかる荷重を軽減し、電子機器１００の使用者Ｕに対する装着安定性を維持できる。
【００１９】
バンド部１１０による頭部Ｈへの付勢の位置としては、もっとも好ましいのが頭部Ｈの幅が最大となる耳の上側近傍位置である。その位置にバンド部１１０と第１、第２の頭部当接部１０３Ｒ、１０３Ｌのそれぞれの接続部１０２Ｒ、１０２Ｌが位置することが好ましい。
【００２０】
さらに、第１、第２の頭部当接部１０３Ｒ、１０３Ｌのそれぞれの接続部１０２Ｒ、１０２Ｌよりも前側、すなわち前頭部ＦＨ側の端部Ｔａは、使用者Ｕのこめかみや顔にかかると不快感を与える。このため、端部Ｔａの位置は、もみあげのライン程度で止めるのが好ましい。
第１、第２の頭部当接部１０３Ｒ、１０３Ｌのそれぞれの接続部１０２Ｒ、１０２Ｌよりも後ろ側の端部Ｔｂは、後頭部ＲＨの方まで長く伸ばすことで、前方に回転する方向のズレを規制できるので、装着時の安定感を向上させることができる。
【００２１】
上述したように、第２の保持部１０５は、端部に接眼光学部１０７を有している。
使用者Ｕは、機器接接続部１０４を介して固定されている虚像表示装置１０６からの虚像画像情報を、接眼光学部１０７により観察可能である。
そして、上述したように、機器接続部１０４は、第１の頭部当接部１０３Ｒと第２の頭部当接部１０３Ｌとにおいて、中間部１０１Ｍ側の端部Ｔａよりも後方の位置に設けられている。
【００２２】
このように、機器接続部１０４を第１、第２の頭部当接部１０３Ｒ、１０３Ｌの前方端部Ｔａよりも後方の位置に設けることで、バンド部１１０の前方部にかかる加重を軽減することができ、より安定した装着を実現できる。
【００２３】
また、バンド部１１０は、使用者Ｕの顔と接眼光学部１０７との間に配置される透過性のバイザー部１０８を着脱可能とするバイザー着脱部１０９を有することが望ましい。
【００２４】
バイザー部１０８は、使用者Ｕの眼前に配置される接眼光学部１０７、虚像表示装置１０６が顔や眼に接触することを防止するために使用する。ここで、すでに眼鏡などを装着している使用者Ｕに対しては、バイザー部１０８を使用する必要がない。
そのような使用者Ｕに対しては、バイザー着脱部１０９によりバイザー部１０８を取り外して使用する。これにより、電子機器１００の前側にかかる荷重や電子機器１００全体の重量を軽減し、より安定した装着ができるようになる。
【００２５】
また、バイザー部１０８は、バンド部１１０に対して上下逆向きに取り付け可能に構成することが望ましい。
さらに、同様に、バイザー部１０８は、バンド部１１０、第１の頭部当接部１０３Ｒ及び第２の頭部当接部１０３Ｌを、使用者Ｕの頭部Ｈに対して左右入れ替えて装着できるように構成することが望ましい。
【００２６】
これにより、電子機器１００の片側に表示装置が固定されているとき、例えば、片眼用の虚像表示装置１０６が右眼用にバンド部１１０の右側に固定されている場合に、使用者Ｕによっては、左眼で虚像表示情報を観察したいということがある。
【００２７】
その場合、電子機器１００装置の上下を反転させて、左右を入れ替えるとともに、バイザー部１０８を外して、上下入れ替えて使用者Ｕの頭部Ｈに取り付ける。これにより、簡単に左右を交換することができる。この結果、入れ換える前と変わらない装着感で入れ替えることができる。
【００２８】
また、本実施形態では、第１の頭部当接部１０３Ｒ及び第２の頭部当接部１０３Ｌのみが使用者Ｕの頭部Ｈに当接している。
また、バンド部１１０およびバイザー部１０８は、使用者Ｕに非接触な状態で保持可能に構成されている。
【００２９】
これにより、額や鼻など顔への頭部当接部１０３Ｒ、１０３Ｌの当接部がないため、使用時の煩わしさを軽減することができる。
【００３０】
図２（ａ）は、本実施形態の電子機器を使用者Ｕが装着する前の状態を示す図である。図２（ｂ）は、本実施形態の電子機器を使用者Ｕが装着した後の状態を示す図である。なお、説明を簡単にするため、第２の頭部当接部１０３Ｌのみを図示し、他の構成の図示を省略する。
【００３１】
図２（ａ）において、第２の頭部当接部１０３Ｌの形状は、頭部Ｈに付勢される前の形状を示しており、第２の頭部当接部１０３Ｌの曲率半径ＲＲ１は、頭部Ｈの曲率半径よりも小さい曲率半径を有している。
【００３２】
また、図２（ｂ）に示すように、第２の頭部当接部１０３Ｌの両端部Ｔａ、Ｔｂから頭部Ｈに接触する。そして、頭部Ｈに付勢されることにより、第２の頭部当接部１０３Ｌの中央部分がさらに押される。この結果、第２の頭部当接部１０３Ｌの当接面が全て、使用者Ｕの頭部Ｈに当接する。
【００３３】
このとき、第２の頭部当接部１０３Ｌの接続部１０２よりも前方側の頭部Ｈの曲率半径Ｒａよりも、後ろ側の曲率半径Ｒｂの方が小さくなっている。このため、第２の頭部当接部１０３Ｌも、曲率半径Ｒａよりも、曲率半径Ｒｂが小さくなるように形成することが好ましい。
【００３４】
さらに説明を続ける。第１の頭部当接部１０３Ｒと第１の頭部当接部１０３Ｒとは、それぞれ弾性部材で形成されている。
第１の頭部当接部１０３Ｒの湾曲部１０３Ｒａの長手方向の曲率半径と、第２の頭部当接部１０３Ｌの湾曲部１０３Ｌａの長手方向の曲率半径とは、それぞれ、電子機器１００が使用者Ｕの頭部Ｈに装着される前の状態における曲率半径ＲＲ１に比較して、電子機器が使用者Ｕの頭部Ｈに装着されている状態における曲率半径ＲＲ２のほうが大きいように構成されていることが好ましい。
【００３５】
かかる構成により、頭部Ｈの曲率半径ＲＲ２よりも小さい曲率半径ＲＲ１を有する第２の頭部当接部１０３Ｌをバンド部１１０の付勢により、頭部Ｈに押し当てることにより、第２の頭部当接部１０３Ｌの当接面全面が頭部Ｈに押し当てられる。これにより、装着時のズレを防止し安定して装着できるとともに、広い面積で付勢されるため、頭部を締め付ける力が分散され、締め付けによる不快感が軽減される。
頭部Ｈの曲率半径ＲＲ２は８０ｍｍ程度であることから、曲率半径ＲＲ１は８０ｍｍ以下とすることが好ましい。
【００３６】
また、電子機器１００を使用者Ｕの頭部Ｈに装着した状態において、重複するため、図示は省略するが、第１の頭部当接部１０３Ｒの湾曲部１０３Ｒａの長手方向の曲率半径に関して、第１の接続部１０２Ｒから中間部１０１Ｍ側の端部Ｔａまでの曲率半径Ｒａよりも、第１の接続部１０２Ｒから端部Ｔａとは反対側の他の端部Ｔｂまでの曲率半径Ｒｂのほうが小さく構成されている。
さらに、第２の頭部当接部１０３Ｌの湾曲部１０３Ｌａの長手方向の曲率半径に関して、第２の接続部１０２Ｌから中間部１０１Ｍ側の端部Ｔａまでの曲率半径Ｒａよりも、第２の接続部１０２Ｌから端部Ｔａとは反対側の他の端部Ｔｂまでの曲率半径Ｒｂのほうが小さく構成されている。
【００３７】
換言すると、第１の頭部当接部１０３Ｒの湾曲部１０３Ｒａと、第２の頭部当接部１０３Ｌの湾曲部１０３Ｌａとは、それぞれ、電子機器１００を使用者Ｕの頭部Ｈに装着している状態では、装着前の曲率半径に比較して拡がっている状態となる。
【００３８】
これにより、第１、第２の頭部当接部１０３Ｒ、１０３Ｌは、より頭部形状に沿った形状となることにより、頭部Ｈにバランスよく当接面が当接する。そして、装着時のズレを防止し安定して装着できるとともに、広い面積で付勢される。このため、頭部Ｈを締め付ける力が分散され、締め付けによる不快感が軽減される。
【００３９】
図３は、第２の頭部当接部１０３Ｒの一部の断面構成を示している。
第１の頭部当接部１０３Ｒ及び第２の頭部当接部１０３Ｌは、厚さが５ｍｍ以下程度の樹脂や金属の薄い部材で構成されるのが好ましい。
【００４０】
例えば、樹脂ベース１０３Ｒｘにシリコンンカバー１０３Ｒｃを形成する構成、金属薄膜１０３Ｒｘを芯にしてゴムカバー１０３Ｒｙを形成する構成とすることができる。
この結果、柔軟性を有し、耳の上側の頭部と耳殻の間に配置することができる。
【００４１】
このように第１、第２の頭部当接部１０３Ｒ、１０３Ｌを薄い素材で構成することにより、耳との干渉を避け、耳の付け根のすぐ上の頭部と耳たぶの間のスペースに配置することができる。
さらに樹脂や金属の薄い素材で構成することにより、柔軟で撓みやすい部品とすることができ、バンド部１１０による頭部Ｈへの付勢により、頭部Ｈの面に沿って変形することができる。
【００４２】
次に、第１実施形態の変形例について説明する。
図４（ａ）は、第１実施形態の変形例の電子機器を使用者が装着する前の状態を示す図である。図４（ｂ）は、第１実施形態の変形例の電子機器を使用者が装着した後の状態を示す図である。
【００４３】
第１の頭部当接部１０３Ｒも同じ構成であるため、重複する説明をさけるため、第２の頭部当接部１０３Ｌの例に説明する。本変形例では、両端部Ｔａ、Ｔｂを結ぶようにゴムなどの伸縮素材２０１を配置した構成である。
このような構成の第２の頭部当接部１０３Ｌを頭部Ｈに付勢することにより、伸縮素材２０１の部分が頭部Ｈにより押され、頭部Ｈの形状に沿うまでに変形する。これにより頭部Ｈに均等に力がかかるために、電子機器１００の装着時の不快な感じが軽減される。さらに、接触面積が増え、ゴムなどの素材は滑り止めの効果も得られる。このため、当接部分がズレることなし安定して装着することができる。
【００４４】
この構成を言い換えると、第１の接続部１０２Ｌよりも中間部１０１Ｍ側の端部Ｔａと、端部Ｔａとは反対側の他の端部Ｔｂとの間には伸縮素材２０１が接続されている。
第２の接続部１０３Ｌよりも中間部１０１Ｍ側の端部Ｔａと端部Ｔａとは反対側の他の端部Ｔｂとの間には伸縮素材が接続されている。
【００４５】
このように、第１、第２の頭部当接部１０３Ｒ、１０３Ｌの両端Ｔａ、Ｔｂを結ぶように伸縮素材２０１を張ることで、上述したように、第１、第２の頭部当接部１０３Ｒ、１０３Ｌを頭部Ｈに押し当てたときに、より頭部Ｈの形状に合うように伸縮素材２０１が頭部に沿い、頭部Ｈに対して均一に付勢することができる。さらに、伸縮素材２０１として、ゴム系の素材を利用することで、当接面の滑りがなくなり、よりズレにくくなる。
【００４６】
（第２実施形態）
次に、第２実施形態の電子機器について説明する。以下、第１実施形態と同一の部分には同一の符号を付し、重複する説明は省略する。
図５は、第２実施形態の電子機器２００を使用者Ｕが装着した状態を示す側面図である。
第１の頭部当接部１０３Ｒを例に説明する。第２の頭部当接部１０３Ｌも同じ構成である。
【００４７】
本実施形態は、第１の頭部当接部１０３Ｒは、中央部分１０３Ｒｘ１の幅を狭くしたものである。これにより、耳付近の幅が狭くなっており、耳との干渉を避け、また、より耳の根元に近い位置で装置を保持することができる。さらに、第１の頭部当接部１０３Ｒの両端１０３Ｒｙ１、１０３Ｒｚを太く形成する。これにより、保持力を高めている。このような構成により、電子機器２００をずれにくく安定して装着することができる。
【００４８】
さらに説明を続ける。第１の頭部当接部１０３Ｒと第２の頭部当接部１０３Ｌは、それぞれ長手方向の中央部分の幅１０３Ｒｘ１が、少なくとも一方の端部Ｔｂの幅１０３Ｒｙ１よりも小さい構成である。
【００４９】
第１の頭部当接部１０３Ｒの中央１０３Ｒｘ１付近の幅が狭くなっていることにより、耳との干渉を避けるとともに、両端１０３Ｒｙ１、１０３Ｒｚの幅を太くする。このことで、頭部Ｈとの接触面積を増やし、頭部Ｈとの摩擦抵抗により、安定性よく装着することができる。
【００５０】
（第３実施形態）
次に、第３実施形態の電子機器について説明する。
図６は、第３実施形態の電子機器３００を使用者Ｕが装着した状態を示す側面図である。
耳の上側に頭部Ｈの前後に伸びるような位置に第１の頭部当接部１０３Ｒが配置されている。
【００５１】
第１の頭部当接部１０３Ｒと第２の頭部当接部１０３Ｌは、それぞれ第１の接続部１０２Ｒと第２の接続部１０２Ｌとを支点としたときに、端部Ｔａとは反対側の他の端部Ｔｂのほうが重くなるように構成されている。
【００５２】
例えば、端部Ｔａとは反対側の他の端部Ｔｂのほうが重くなるウエイト部１１１を有する。
【００５３】
このように第１の頭部当接部１０３Ｒの後方にウエイト部１１１を設けることで、電子機器２００の重量バランスを前側寄りになることを防止できる。
また、図６のように第１の頭部当接部１０３Ｒ以外の部分を額や顔、鼻などから離して保持することにより、装置との接触による不快感を軽減することができる。特に、女性が使用する際には、化粧が落ちない点や、つけまつげなどが装置に当たらないなどの点で利点がある。
【００５４】
表示デバイスは装置３００の比較的前側に取り付けて使用することが多い。このため、電子機器３００全体の重心が前方により過ぎることがある、その場合にカウンターバランスとなるウエイト部１１１を第１の頭部当接部１０３Ｒの接続部１０２Ｒよりも後方側に配置する。これにより、重心を耳付近に近づけることができ、装着の安定性を向上させることができる。
【００５５】
次に、第３実施形態の変形例を説明する。
図７（ａ）、（ｂ）は、締付調整部２０１、２０２の構成を示す図である。
バンド部１１０の中間部１０１Ｍの中央位置に凸状に出張る凸部２０１を形成する。そして、その部分を挟むようにネジ２０２が止められている。ネジを締め込むことで、凸部２０１の開口側の間隔が狭くなり、バンド部１１０の左右の間隔を調整することができる。これにより、電子機器を頭部Ｈに装着する際の左右の付勢の力を調整することができる。さらに凸状の部分はバイザー着脱部１０９の機能を兼用することもできる。
【００５６】
換言すると、バンド部１１０は、第１の頭部当接部１０３Ｒと第２の頭部当接部１０３Ｌとが使用者Ｕの頭部Ｈへの締め付け加減を調整可能な締付調整部２０１、２０１を有する構成である。
【００５７】
これにより、バンド部１１０の締め付け加減を調整でき、より様々な頭部サイズに対して、強すぎず弱すぎない適切な付勢具合を調整することができる。
【００５８】
（第４実施形態）
次に、第４実施形態の電子機器について説明する。
図８は、第４実施形態の電子機器４００を使用者が装着した状態を示す側面図である。
【００５９】
本実施形態は、バンド部１１０には、使用者Ｕの眼前に配置される電子デバイスは液晶シャッタ部２０３であり、
液晶シャッタ部２０３を駆動するための駆動部２０４と、を有している。
【００６０】
これにより、立体映像の鑑賞に使用する液晶シャッタの使用の際の不快感を軽減することができる。
このように、本実施形態は、電子デバイスとして、液晶シャッタ装置２０３を組み込んだ例である。使用者Ｕの顔前面には接触しない保持方法とすることで、眼鏡を長時間かけることが苦手な使用者Ｕでも快適に使用することができる。
さらに、第１、第２の頭部当接部１０３Ｒ、１０３Ｌの位置やバンド部１１０の締め付けの調整により、映画館等で貸し出された際にも、使用者Ｕに応じた調整が可能であり、安定して快適に使用することができる。
【００６１】
（第５実施形態）
次に、第５実施形態の電子機器について説明する。
図９（ａ）は、第５実施形態の電子機器５００を使用者が装着している状態を示す上面図である。図９（ｂ）は、第５実施形態の電子機器５００を使用者が装着している状態を示す側面図である。
【００６２】
本実施形態は、第１の頭部当接部１０３Ｒと、第２の頭部当接部１０３Ｌ、とに設けられている電子デバイスは骨伝導スピーカ部３０１Ｒ、３０１Ｌである。
【００６３】
これにより、使用者Ｕは、骨伝導スピーカ部３０１Ｒ、３０１Ｌを介して、音声情報の送受信を自由に行うことができる。
【００６４】
また、上記第１〜第５実施形態において、図１０（ａ）、（ｂ）に示すように、第１、第２の頭部当接部４０３Ｌ、５０３Ｌは、板ばね部材４０３Ｌａ、４０３Ｌｂ、５０３Ｌａ、５０３Ｌｂで形成され、使用者の頭部に付勢される構成とすることができる。
これにより、他の弾性部材と同様の効果を簡易な構成で得ることができる。
【００６５】
上述した発明は、その趣旨を逸脱しない範囲で様々な変形例をとることができる。
例えば、「虚像観察機能＋液晶シャッタ」の機能、「虚像観察機能＋骨伝導スピーカ」の機能、「液晶シャッタ眼鏡」のみの機能、「骨伝導スピーカ」のみの機能を有する電子機器として適用できる。また、これらの組み合わせに限定されるものではないことはいうまでもない。
【産業上の利用可能性】
【００６６】
以上のように、本発明は、使用者が頭部に装着したとき、頭部に対して装着状態のズレが生じない電子機器に適している。
【符号の説明】
【００６７】
１００  電子機器
１０１Ｒ、１０１Ｌ  第１の湾曲部、第２の湾曲部
１０２Ｒ、１０２Ｌ  第１の接続部、第２の接続部
１０３Ｒ、１０３Ｌ  第１の頭部当接部（第１の当接部）、第２の頭部当接部（第２の当接部）
１０４  機器接続部
１０５  第２の保持部材
１０６  虚像表示装置
１０７  接眼光学部
１１０  バンド部
【図１】
2014007513.tif 000003
【図２】
2014007513.tif 000004
【図３】
2014007513.tif 000005
【図４】
2014007513.tif 000006
【図５】
2014007513.tif 000007
【図６】
2014007513.tif 000008
【図７】
2014007513.tif 000009
【図８】
2014007513.tif 000010
【図９】
2014007513.tif 000011
【図１０】
2014007513.tif 000012